(57)【要約】【課題】インターネットに接続可能な端末にてさらに手間をかけずにインターネットを介して所定の領域にアクセスする。【解決手段】  電話端末１０−１〜１０−ｎからアクセス情報提供サーバ３０に対して発呼処理が行われると、アクセス情報提供サーバ３０において、Ｗｅｂサーバ２０−１〜２０−Ｎにて管理されるＷｅｂページにアクセスするためのアクセス情報とアクセス情報提供サーバ３０の電話番号とを含むメッセージが作成され、発呼元の電話端末に送信される。電話端末１０−１〜１０−ｎにおいては、受信されたメッセージに含まれる電話番号とアクセス情報提供サーバ３０に対して発呼した際の電話番号とが照合され、両者が一致した場合、受信されたメッセージに含まれるアクセス情報によってＷｅｂページにアクセスが行われる。【選択図】図１
2005136813.tif 000002
【特許請求の範囲】
【請求項１】
インターネットに接続可能な電話端末と、前記電話端末に対してインターネットを介して所定の領域にアクセスするためのアクセス情報を提供するアクセス情報提供手段とを有し、前記アクセス情報提供手段から提供されるアクセス情報を用いて前記電話端末にてインターネットを介して所定の領域にアクセスするアクセスシステムであって、
前記アクセス情報提供手段は、前記電話端末からの着信があった場合、前記アクセス情報と当該アクセス情報提供手段の電話番号とを含むメッセージを当該電話端末に送信し、
前記電話端末は、前記アクセス情報提供手段から送信されてきたメッセージに含まれる電話番号と前記アクセス情報提供手段に対して発呼した際の電話番号とを照合して両者が一致した場合に、前記メッセージに含まれるアクセス情報によってアクセス可能な領域にアクセスすることを特徴とするアクセスシステム。
【請求項２】
請求項１に記載のアクセスシステムにおいて、
前記アクセス情報提供手段は、前記電話端末に応じた属性情報と、複数の電話端末にて共通なアクセス情報となる共通アクセス情報とを管理しておき、着信があった電話端末に応じた属性情報と前記共通アクセス情報とを用いて前記アクセス情報を生成することを特徴とするアクセスシステム。
【請求項３】
インターネットに接続可能に構成され、アクセス情報提供手段から送信されてきたメッセージに含まれるアクセス情報を用いてインターネットを介して所定の領域にアクセスする電話端末であって、
前記アクセス情報提供手段に対して発呼し、前記アクセス情報提供手段から送信されてきたメッセージに含まれる前記アクセス情報提供手段の電話番号と前記アクセス情報提供手段に対して発呼した際の電話番号とを照合して両者が一致した場合に、前記メッセージに含まれるアクセス情報によってアクセス可能な領域にアクセスすることを特徴とする電話端末。
【請求項４】
インターネットに接続可能に構成され、発呼した電話番号と受信したメッセージに含まれる電話番号とを照合して両者が一致した場合に、前記メッセージに含まれるアクセス情報によってアクセス可能な領域にアクセスする電話端末に前記メッセージを送信するサーバであって、
前記電話端末からの着信があった場合、前記アクセス情報と当該アクセス情報提供手段の電話番号とを含むメッセージを当該電話端末に送信することを特徴とするサーバ。
【請求項５】
請求項４に記載のサーバにおいて、
前記電話端末に応じた属性情報と、複数の電話端末にて共通なアクセス情報となる共通アクセス情報とを管理しておき、着信があった電話端末に応じた属性情報と前記共通アクセス情報とを用いて前記アクセス情報を生成することを特徴とするサーバ。
【請求項６】
情報を表示する表示手段と、情報を記録する情報記憶手段と、公衆回線を介して通信を行う通信手段とを備えた電話端末に、
電話番号を入力するための画面を前記表示手段に表示させる処理と、
前記画面に入力された電話番号を用いた発呼を指示する処理と、
前記画面に入力された電話番号を前記情報記憶手段に記憶する処理と、
受信された情報を受け取る処理と、
受け取った情報に含まれる電話番号と前記情報記憶手段に記憶された電話番号とを比較する処理と、
受け取った情報に含まれる電話番号と前記情報記憶手段に記憶された電話番号とが一致した場合、受け取った情報に含まれるＵＲＬ情報に基づいてブラウザを起動する処理とを実行させるコンピュータプログラム。
【発明の詳細な説明】
【技術分野】
【０００１】
本発明は、インターネットに接続可能な電話端末にてインターネットを介して所定の領域にアクセスするアクセスシステム、電話端末及びサーバに関する。
【背景技術】
【０００２】
近年、インターネットやパソコンが急速に普及し、個人が時間や場所を問わずにインターネットに接続することが容易に行われるようになってきている。また、それに伴い、インターネット上にＷｅｂページを開設し、このＷｅｂページを用いて情報を提供したり、商品等を販売したりする企業団体等が急速に増加している。そのため、このようにインターネット上に開設されたＷｅｂページは、様々な情報を収集したり、サービスを受けたりする上で便利な手段としてビジネスやプライベートで多くのユーザに利用されている。さらに、携帯電話機の普及、並びに携帯電話機のＷｅｂページへのアクセス機能の充実によって、インターネット上に開設されたＷｅｂページの利用は日常的に行われるようになってきている。
【０００３】
このようにインターネット上に開設されたＷｅｂページを閲覧する場合、インターネットに接続可能に構成された携帯電話機やパソコン等の端末にてブラウザを起動し、アクセス情報を入力するための領域にＷｅｂページのＵＲＬを入力する。すると、入力されたＵＲＬによって特定されるＷｅｂページに対してインターネットを介してアクセスが行われ、アクセスしたＷｅｂページがブラウザによって端末上に表示されることになる。
【０００４】
ここで、上述したようなＷｅｂページのＵＲＬを入力する手間を省くために、Ｗｅｂページにアクセス可能な携帯電話機から電話をかけると、発呼先の電話番号に対応づけられたＵＲＬが掲載された電子メールが携帯電話機に送信されるシステムが考えられている（例えば、特許文献１参照。）。このシステムにおいては、Ｗｅｂページにアクセス可能な携帯電話機から電話をかけると、発呼先の電話番号に対応づけられたＵＲＬが掲載された電子メールが作成され、発呼元の携帯電話機に送信される。発呼元の携帯電話機においては、送信されてきた電子メールに掲載されたＵＲＬをクリックすると、そのＵＲＬによって特定されるＷｅｂページに対するアクセスが行われ、このＷｅｂページが携帯電話機に表示されることになる。このシステムを用いれば、電話をかけた後に送信されてきた電子メールに掲載されたＵＲＬをクリックするだけで、インターネット上に開設されたＷｅｂページに対するアクセスが行われ、アクセスしたＷｅｂページがブラウザによって端末上に表示されることになる。
【特許文献１】特開２００２−２３２５９６号公報
【発明の開示】
【発明が解決しようとする課題】
【０００５】
上述したような、Ｗｅｂページにアクセス可能な携帯電話機から電話をかけると、発呼先の電話番号に対応づけられたＵＲＬが掲載された電子メールが携帯電話機に送信されるシステムにおいては、インターネットに接続可能に構成された端末にてブラウザを起動し、アクセス情報を入力する領域にＷｅｂページのＵＲＬを入力することなく、Ｗｅｂページを閲覧することができるが、電話をかけた後に送信されてきた電子メールに掲載されたＵＲＬをクリックする必要があり、そのための手間がかかってしまうという問題点がある。
【０００６】
本発明は、上述したような従来の技術が有する問題点に鑑みてなされたものであって、インターネットに接続可能な端末にてさらに手間をかけずにインターネットを介して所定の領域にアクセスすることができるアクセスシステム、端末及びサーバを提供することを目的とする。
【課題を解決するための手段】
【０００７】
上記目的を達成するために本発明は、
インターネットに接続可能な電話端末と、前記電話端末に対してインターネットを介して所定の領域にアクセスするためのアクセス情報を提供するアクセス情報提供手段とを有し、前記アクセス情報提供手段から提供されるアクセス情報を用いて前記電話端末にてインターネットを介して所定の領域にアクセスするアクセスシステムであって、
前記アクセス情報提供手段は、前記電話端末からの着信があった場合、前記アクセス情報と当該アクセス情報提供手段の電話番号とを含むメッセージを当該電話端末に送信し、
前記電話端末は、前記アクセス情報提供手段から送信されてきたメッセージに含まれる電話番号と前記アクセス情報提供手段に対して発呼した際の電話番号とを照合して両者が一致した場合に、前記メッセージに含まれるアクセス情報によってアクセス可能な領域にアクセスすることを特徴とする。
【０００８】
また、前記アクセス情報提供手段は、前記電話端末に応じた属性情報と、複数の電話端末にて共通なアクセス情報となる共通アクセス情報とを管理しておき、着信があった電話端末に応じた属性情報と前記共通アクセス情報とを用いて前記アクセス情報を生成することを特徴とする。
【０００９】
また、インターネットに接続可能に構成され、アクセス情報提供手段から送信されてきたメッセージに含まれるアクセス情報を用いてインターネットを介して所定の領域にアクセスする電話端末であって、
前記アクセス情報提供手段に対して発呼し、前記アクセス情報提供手段から送信されてきたメッセージに含まれる前記アクセス情報提供手段の電話番号と前記アクセス情報提供手段に対して発呼した際の電話番号とを照合して両者が一致した場合に、前記メッセージに含まれるアクセス情報によってアクセス可能な領域にアクセスすることを特徴とする。
【００１０】
また、インターネットに接続可能に構成され、発呼した電話番号と受信したメッセージに含まれる電話番号とを照合して両者が一致した場合に、前記メッセージに含まれるアクセス情報によってアクセス可能な領域にアクセスする電話端末に前記メッセージを送信するサーバであって、
前記電話端末からの着信があった場合、前記アクセス情報と当該アクセス情報提供手段の電話番号とを含むメッセージを当該電話端末に送信することを特徴とする。
【００１１】
また、前記電話端末に応じた属性情報と、複数の電話端末にて共通なアクセス情報となる共通アクセス情報とを管理しておき、着信があった電話端末に応じた属性情報と前記共通アクセス情報とを用いて前記アクセス情報を生成することを特徴とする。
【００１２】
また、コンピュータプログラムであって、
情報を表示する表示手段と、情報を記録する情報記憶手段と、公衆回線を介して通信を行う通信手段とを備えた電話端末に、
電話番号を入力するための画面を前記表示手段に表示させる処理と、
前記画面に入力された電話番号を用いた発呼を指示する処理と、
前記画面に入力された電話番号を前記情報記憶手段に記憶する処理と、
受信された情報を受け取る処理と、
受け取った情報に含まれる電話番号と前記情報記憶手段に記憶された電話番号とを比較する処理と、
受け取った情報に含まれる電話番号と前記情報記憶手段に記憶された電話番号とが一致した場合、受け取った情報に含まれるＵＲＬ情報に基づいてブラウザを起動する処理とを実行させる。
【００１３】
上記のように構成された本発明においては、インターネットに接続可能な電話端末からアクセス情報提供手段に対する発呼処理が行われ、アクセス情報提供手段にて電話端末からの着信が検出されると、アクセス情報提供手段において、インターネットを介して所定の領域にアクセスするためのアクセス情報とアクセス情報提供手段の電話番号とを含むメッセージが作成され、発呼元の電話端末に送信される。アクセス情報提供手段から送信されたメッセージが電話端末にて受信されると、電話端末において、受信されたメッセージに含まれる電話番号とアクセス情報提供手段に対して発呼した際の電話番号とが照合され、両者が一致した場合、受信されたメッセージに含まれるアクセス情報によってアクセス可能な領域にアクセスが行われる。
【００１４】
このように、インターネットに接続可能な電話端末にてアクセス情報提供手段に電話をかけるだけで、手間をかけずにインターネットを介して所定の領域にアクセスすることが可能となる。また、電話端末において、受信されたメッセージに含まれる電話番号とアクセス情報提供手段に対して発呼した際の電話番号とが照合され、両者が一致した場合のみ、受信されたメッセージに含まれるアクセス情報によってアクセス可能な領域にアクセスが行われるので、電話端末に対するアクセス情報を知った第三者が、例えば有料サイト等のアクセス情報をメッセージに含めて電話端末に送信した場合であっても、電話端末にてそのサイトにアクセスされることはない。
【００１５】
また、アクセス情報提供手段において、電話端末に応じた属性情報と、複数の電話端末にて共通なアクセス情報となる共通アクセス情報とを管理しておき、着信があった電話端末に応じた属性情報と共通アクセス情報とを用いてアクセス情報を生成すれば、電話端末において、電話端末の利用者に応じてパーソナライズ化された領域にアクセスすることができる。
【発明の効果】
【００１６】
以上説明したように本発明においては、インターネットに接続可能な電話端末と、電話端末に対してインターネットを介して所定の領域にアクセスするためのアクセス情報を提供するアクセス情報提供手段とを有し、アクセス情報提供手段から提供されるアクセス情報を用いて電話端末にてインターネットを介して所定の領域にアクセスするアクセスシステムにおいて、アクセス情報提供手段にて、電話端末からの着信があった場合、アクセス情報と当該アクセス情報提供手段の電話番号とを含むメッセージを当該電話端末に送信し、電話端末に、アクセス情報提供手段から送信されてきたメッセージに含まれる電話番号とアクセス情報提供手段に対して発呼した際の電話番号とを照合して両者が一致した場合に、メッセージに含まれるアクセス情報によってアクセス可能な領域にアクセスする構成としたため、インターネットに接続可能な電話端末にてアクセス情報提供手段に電話をかけるだけで、手間をかけずにインターネットを介して所定の領域にアクセスすることができるとともに、電話端末に対するアクセス情報を知った第三者が、例えば有料サイト等のアクセス情報をメッセージに含めて電話端末に送信した場合であっても、電話端末にてそのサイトにアクセスすることを防止することができる。
【００１７】
また、アクセス情報提供手段において、電話端末に応じた属性情報と、複数の電話端末にて共通なアクセス情報となる共通アクセス情報とを管理しておき、着信があった電話端末に応じた属性情報と共通アクセス情報とを用いてアクセス情報を生成するものにおいては、電話端末において、電話端末の利用者に応じてパーソナライズ化された領域にアクセスすることができる。
【発明を実施するための最良の形態】
【００１８】
以下に、本発明の実施の形態について図面を参照して説明する。
【００１９】
図１は、本発明のアクセスシステムの実施の一形態を示す図である。
【００２０】
本形態は図１に示すように、公衆回線４０及び公衆回線４０を介してインターネット５０に接続可能に構成され、インターネット５０を介してメッセージの送受信及びＷｅｂサーバ２０−１〜２０−Ｎにて管理されるＷｅｂページに対するアクセスが可能な携帯電話機等の電話端末１０−１〜１０−ｎと、公衆回線４０を介して電話端末１０−１〜１０−ｎとの間にて通話可能に構成されるとともに、インターネット５０を介して電話端末１０−１〜１０−ｎに対してメッセージを送信可能に構成され、電話端末１０−１〜１０−ｎからの公衆回線４０を介しての着信があった場合に、Ｗｅｂサーバ２０−１〜２０−Ｎにて管理されるＷｅｂページにアクセスするためのアクセス情報を含むメッセージを、着信があった電話端末１０−１〜１０−ｎに送信するアクセス情報提供サーバ３０とから構成されている。なお、アクセス情報提供サーバ３０から送信されるメッセージには、Ｗｅｂサーバ２０−１〜２０−Ｎにて管理されるＷｅｂページにアクセスするためのアクセス情報の他に、アクセス情報提供サーバ３０の電話番号と、電話端末１０−１〜１０−ｎに予めダウンロードされて格納されたＢＲＥＷアプリ内の所定のプログラムを実行させるためのＴＥＬＩＤとが含まれている。
【００２１】
また、アクセス情報提供サーバ３０は、公衆回線４０を介して電話端末１０−１〜１０−ｎとの間にて電話通信を行う通信部３１と、電話端末１０−１〜１０−ｎの電話番号と属性情報とを対応づけて端末情報データベース３３に登録して管理しておき、電話端末１０−１〜１０−ｎのうち通信部３１にて着信があった電話端末の電話番号に対応づけられた属性情報を端末情報データベース３３から検索する端末情報管理部３２と、インターネット５０上にてアクセス可能な領域となるＷｅｂサーバ２０−１〜２０−Ｎにて管理されるＷｅｂページにアクセスするための共通アクセス情報をアクセス情報データベース３５に登録して管理するアクセス情報管理部３４と、アクセス情報管理部３４にて管理される共通アクセス情報と端末情報管理部３２にて検索された属性情報とを用いて、電話端末１０−１〜１０−ｎ毎のアクセス情報を生成し、このアクセス情報と、アクセス情報提供サーバ３０の電話番号と、上述したＴＥＬＩＤとを含むメッセージを作成するメッセージ作成部３６と、メッセージ作成部３６にて作成されたメッセージを、電話端末１０−１〜１０−ｎのうち通信部３１にて着信があった電話端末に送信するメッセージ送信部３７とから構成されている。
【００２２】
以下に、上記のように構成されたアクセスシステムにおけるＷｅｂサーバ２０−１〜２０−Ｎにて管理されるＷｅｂページに対するアクセス処理について、Ｗｅｂサーバ２０−１にて管理されるＷｅｂページに対して電話端末１０−１にてアクセスが行われる場合の処理を例に挙げて説明する。
【００２３】
図２は、図１に示したＷｅｂサーバ２０−１にて管理されるＷｅｂページに対して電話端末１０−１にてアクセスが行われる場合の処理を説明するためのフローチャートである。
【００２４】
電話端末１０−１〜１０−ｎには、電話番号を入力するための領域が設けられ、その領域に電話番号を入力することにより発呼可能となる画面を表示するプログラムとなるＢＲＥＷアプリが予めダウンロードされて格納されており、電話端末１０−１にてこのＢＲＥＷアプリを起動させ、電話番号を入力するための画面を電話端末１０−１の表示部（不図示）上に表示させ（ステップＳ１）、アクセス情報提供サーバ３０の電話番号を入力すると、電話端末１０−１の通信手段（不図示）からアクセス情報提供サーバ３０に対する発呼処理が行われる（ステップＳ２）。
【００２５】
電話端末１０−１からアクセス情報提供サーバ３０に対する発呼処理が行われると、アクセス情報提供サーバ３０の通信部３１にて電話端末１０−１からの着信が検出される（ステップＳ３）。なお、電話端末１０−１においては、発呼した際の電話番号が電話端末１０−１内の情報記憶手段であるメモリ（不図示）に記憶される。
【００２６】
電話端末１０−１においては、アクセス情報提供サーバ３０の通信部３１にて着信が検出された後、アクセス情報提供サーバ３０との間の呼を切断する（ステップＳ４）。なお、本形態においては、電話端末１０−１からアクセス情報提供サーバ３０に対する発呼処理が行われた後にアクセス情報提供サーバ３０が応答する前に、電話端末１０−１とアクセス情報提供サーバ３０との呼が切断されるため、通信部３１に通話機能を設ける必要がないが、電話端末１０−１〜１０−ｎの発呼に対して自動音声にて応答する場合、通信部３１に自動音声応答機能を付加することも考えられる。
【００２７】
アクセス情報提供サーバ３０の通信部３１にて電話端末１０−１からの着信が検出されると、電話端末１０−１の電話番号が通信部３１にて取得され（ステップＳ５）、端末情報管理部３２において、端末情報データベース３３が参照され、通信部３１にて取得された電話番号に対応づけて管理されている属性情報が検索される（ステップＳ６）。
【００２８】
次に、アクセス情報提供サーバ３０のメッセージ作成部３６において、アクセス情報管理部３４にて管理される共通アクセス情報と端末情報管理部３２にて検索された属性情報とを用いて、電話端末１０−１〜１０−ｎ毎のアクセス情報が生成される（ステップＳ７）。なお、アクセス情報管理部３４にてアクセス情報データベース３５に登録、管理されている共通アクセス情報は、電話端末１０−１〜１０−ｎの全てにおいて共通に、Ｗｅｂサーバ２０−１〜２０−Ｎにて管理されるＷｅｂページにアクセスするためのものであるが、この共通アクセス情報に端末情報管理部３２にて検索された属性情報を付加することによって、Ｗｅｂサーバ２０−１〜２０−Ｎにて電話端末１０−１〜１０−ｎ毎に設定、管理されているパーソナライズ化されたＷｅｂページにアクセスすることができるアクセス情報が生成されることになる。
【００２９】
また、メッセージ作成部３６においては、ステップＳ７にて生成されたアクセス情報と、アクセス情報提供サーバ３０の電話番号と、電話端末１０−１〜１０−ｎに格納されたＢＲＥＷアプリ内の所定のプログラムを実行させるためのＴＥＬＩＤとを含むメッセージが作成される（ステップＳ８）。
【００３０】
その後、アクセス情報提供サーバ３０のメッセージ送信部３７において、メッセージ作成部３６にて作成されたメッセージが、通信部３１にて着信が検出された電話端末１０−１に送信される（ステップＳ９）。この際、メッセージ作成部３６にて作成されたメッセージの宛先として、通信部３１にて取得された電話端末１０−１の電話番号が設定されることによって、メッセージが電話端末１０−１に送信されることになる。
【００３１】
アクセス情報管理サーバ３０のメッセージ送信部３７から送信されたメッセージが、インターネット５０及び公衆回線４０を介して電話端末１０−１にて受信されると（ステップＳ１０）、電話端末１０−１において、受信されたメッセージが解読され、メッセージ内にＴＥＬＩＤが含まれている場合（ステップＳ１１）、このＴＥＬＩＤを含むメッセージがＢＲＥＷアプリに渡される（ステップＳ１２）。なお、電話端末１０−１に予め格納されたＢＲＥＷアプリによって、電話端末１０−１のハードウェアにてＴＥＬＩＤが認識された場合、そのＴＥＬＩＤをＢＲＥＷアプリに渡す旨の指示が電話端末１０−１のハードウェアに対して予め通知されている。また、ＢＲＥＷアプリにおいては、実行すべきプログラム毎にＴＥＬＩＤが設定されており、ハードウェアからＴＥＬＩＤが渡されると、そのＴＥＬＩＤに対応するプログラムを実行させる。本形態においては、アクセス情報提供サーバ３０から送信されてきたメッセージに含まれるＴＥＬＩＤによって以下の処理を行うプログラムが実行されることになる。
【００３２】
まず、電話端末１０−１において、ステップＳ１０にて受信されたメッセージに含まれる電話番号と、ステップＳ２にて発呼した際の電話番号とが照合される（ステップＳ１３）。ここで、ステップＳ２にて発呼した際の電話番号は、上述したように、電話端末１０−１内のメモリに記憶されているため、この記憶された電話番号と、ステップＳ１０にて受信されたメッセージに含まれる電話番号とが照合されることになる。
【００３３】
ステップＳ１０にて受信されたメッセージに含まれる電話番号とステップＳ２にて発呼した際の電話番号とが一致した場合、電話端末１０−１内のブラウザが起動し（ステップＳ１４）、起動したブラウザに、メッセージに含まれるアクセス情報が渡される。
【００３４】
すると、ブラウザによって、Ｗｅｂサーバ２０−１〜２０−Ｎにて管理されるＷｅｂページのうち、メッセージに含まれるアクセス情報によってアクセス可能となる、Ｗｅｂサーバ２０−１によって管理されるＷｅｂページに対するアクセスが行われ（ステップＳ１５）、このＷｅｂページが電話端末１０−１に表示される（ステップＳ１６）。
【００３５】
このように、ステップＳ１０にて受信されたメッセージに含まれる電話番号とステップＳ２にて発呼した際の電話番号とが一致した場合にのみ、電話端末１０−１内のブラウザが起動する構成とすることにより、ステップＳ２における発呼処理に応じてアクセス情報提供サーバ３０から送信されたメッセージに含まれるアクセス情報によってアクセス可能となるＷｅｂページのみに対してアクセスが行われることになり、電話端末１０−１の電話番号を知った第三者が、例えば有料サイト等のアクセス情報をメッセージに含めて電話端末１０−１に送信した場合であっても、電話端末１０−１にてそのサイトにアクセスされることがなくなる。なお、ステップＳ１３における照合処理において、ステップＳ２にて発呼処理が行われてからステップＳ１０にてメッセージが受信されるまでの間の時間が所定時間内である場合のみブラウザを起動する構成とすれば、ステップＳ１０にて受信されたメッセージがステップＳ２における発呼処理によるものであることの確実性を向上させることができる。
【００３６】
また、メッセージ内にＴＥＬＩＤが含まれていない場合は、ＢＲＥＷアプリが終了するまで処理待ちの状態となる（ステップＳ１７）。
【００３７】
なお、電話端末１０−１〜１０−ｎに対するアクセス情報提供サーバ３０の電話番号の通知においては、電話端末１０−１〜１０−ｎの利用者に対して、アクセス情報提供サーバ３０の電話番号が掲載されたダイレクトメールを予め送付しておくことや、電話端末１０−１〜１０−ｎに対してアクセス情報提供サーバ３０の電話番号が掲載された電子メールを予め送信しておくこと等によって行うことが考えられる。また、ポスターやチラシ、カタログ、雑誌等にアクセス情報提供サーバ３０の電話番号を掲載しておくことも考えられるが、その場合は、アクセス情報提供サーバ３０においては、アクセス情報管理部３４にて管理されている共通アクセス情報のみをアクセス情報としてメッセージに含めて、発呼してきた電話端末１０−１〜１０−ｎにこのメッセージを送信することになる。
【図面の簡単な説明】
【００３８】
【図１】本発明のアクセスシステムの実施の一形態を示す図である。
【図２】図１に示したＷｅｂサーバにて管理されるＷｅｂページに対して電話端末にてアクセスが行われる場合の処理を説明するためのフローチャートである。
【符号の説明】
【００３９】
１０−１〜１０−ｎ    電話端末
２０−１〜２０−Ｎ    Ｗｅｂサーバ
３０    アクセス情報提供サーバ
３１    通信部
３２    端末情報管理部
３３    端末情報データベース
３４    アクセス情報管理部
３５    アクセス情報データベース
３６    メッセージ作成部
３７    メッセージ送信部
４０    公衆回線
５０    インターネット
【図１】
2005136813.tif 000003
【図２】
2005136813.tif 000004